(57)【要約】【課題】駆動タービンにおける回転体の内側に複数の水流導入部を配置し、この水流噴出部から水流を勢い良く噴出させ、この噴出した水流により駆動タービンの回転体を高速回転させて、発電機により十分な電力を得ることができる水力発電装置を提供する。【解決手段】本発明は、円筒部本体の内部に、発電機、水流導入体のそれぞれを配置し、この水流導入体を貫通するように配置された中央回転軸を有する縦型の駆動タービンを回転可能に取り付け、水流導入体から噴出する水流により駆動タービンを回転させ、中央回転軸に連動した発電機から電力を得る水力発電装置であって、水流導入体の周壁に、水流を水流導入体の外周壁に沿うように特定の水平方向に噴出する複数の水流噴出部を設ける一方、駆動タービンは、複数のタービン羽根を円弧状に立設して全体を略筒状に形成した回転体を中央回転軸に取り付けて構成され、駆動タービンの回転体が、水流導入体の水流噴出部を取り囲むように配置されている。【選択図】図２
2011064170.tif 000002
【特許請求の範囲】
【請求項１】
円筒部本体の内部に、発電機、水流導入体のそれぞれを配置し、この水流導入体を貫通するように配置された中央回転軸を有する縦型の駆動タービンを回転可能に取り付け、水流導入体から噴出する水流により駆動タービンを回転させ、中央回転軸に連動した発電機から電力を得る水力発電装置であって、水流導入体の周壁に、水流を水流導入体の外周壁に沿うように特定の水平方向に噴出する水流噴出部を複数設ける一方、駆動タービンは、複数のタービン羽根を円弧状に立設して全体を略筒状に形成した回転体を中央回転軸に取り付けて構成され、駆動タービンの回転体が、水流導入体の水流噴出部を取り囲むように配置されていることを特徴とする水力発電装置。
【請求項２】
水流導入体の周壁における４箇所に、水流噴出部を設けている請求項１に記載の水力発電装置。
【請求項３】
水流導入体の周壁に設けている各水流噴出部は、外側に位置している回転体のタービン羽根に向けて水流を噴出し、タービン羽根に対する水流の衝突力により駆動タービンの回転体を回転させている請求項１または２に記載の水力発電装置。
【請求項４】
水流導入体の周壁に設けている各水流噴出部は、外側に位置している回転体のタービン羽根に向けて水流を噴出し、円筒部本体の内部において、水流導入体の周囲に旋回流を生じさせ、この旋回流により駆動タービンの回転体を回転させている請求項１または２に記載の水力発電装置。
【請求項５】
水流導入体の周壁に設けている各水流噴出部は、外側に位置している回転体のタービン羽根に向けて水流を噴出し、タービン羽根に対する水流の衝突力と、円筒部本体の内部において水流導入体の周囲に生じている旋回流により駆動タービンの回転体を回転させている請求項１または２に記載の水力発電装置。
【請求項６】
円筒部本体の下部に、排水孔を設けている請求項１乃至５のいずれかに記載の水力発電装置。
【請求項７】
駆動タービンの中央回転軸は、変速ギアを介して、発電機の駆動ギアに連動している請求項１に記載の水力発電装置。
【発明の詳細な説明】
【技術分野】
【０００１】
本発明は、例えば、マンション、公営住宅等のような集合建築物の排水路や屋根の樋、その他の配管水路を流れる水流、或いは、山間部での落差のある渓流や清流を利用する等して、高効率の電力を得ることのできる水力発電装置に関するものである。
【背景技術】
【０００２】
近年、クリーンなエネルギーとして、建築物内の流入管路や流出管路に水力発電装置を多数設置しているが、概して排水の水量が少ないことから、所望の発電量が得られない事態が生じていた。
【０００３】
このため、従来においては、例えば、特許文献１に開示されているように、所要の発電量を得ることができると共に、排水路の詰まりが生じないようにし、更に保守性も向上させた排水路水力発電システムなる技術が提案されている。
【０００４】
このシステムは、排水路の集合管に配置されて排水により回転する界磁磁石と、前記集合管の周囲に配置されて前記界磁磁石の磁束が鎖交するコイルと、からなる水力発電機と、前記コイルに発生する交流電圧を整流平滑して所定の直流電圧を得る充電制御装置とを備えている。
【０００５】
そして、集合管を流下する排水によって界磁磁石が一定方向に回転することによりコイルに交流電圧が誘起され、この交流電圧を充電制御装置により整流平滑して所定の大きさの直流電圧に変換すると共に、この直流電圧によってバッテリーが充電されるのである。
【先行技術文献】
【特許文献】
【０００６】
【特許文献１】特開２００７−２０５２１７号公報
【発明の概要】
【発明が解決しようとする課題】
【０００７】
しかしながら、上記した特許文献１に示す排水路水力発電システムの場合、集合管から自然落下する水の落差のみによって、界磁磁石を一定方向に回転させることによりコイルに交流電圧を誘起させ、この交流電圧を充電制御装置により整流平滑して所定の大きさの直流電圧に変換していることから、界磁磁石を効率良く回転させることができず、かえって界磁磁石が抵抗として作用してしまい、このため、充分なバッテリー充電が行えないという問題点を有していた。
【０００８】
そこで、本発明は如上のような従来存した諸事情に鑑み創出されたもので、駆動タービンにおける回転体の内側に複数の水流導入部を配置し、この水流噴出部から水流を勢い良く噴出させ、この噴出した水流により駆動タービンの回転体を高速回転させて、発電機により充分な電力を得ることができる水力発電装置を提供することを目的とする。
【課題を解決するための手段】
【０００９】
本発明は、円筒部本体の内部に、発電機、水流導入体のそれぞれを配置し、この水流導入体を貫通するように配置された中央回転軸を有する縦型の駆動タービンを回転可能に取り付け、水流導入体から噴出する水流により駆動タービンを回転させ、中央回転軸に連動した発電機から電力を得る水力発電装置であって、水流導入体の周壁に、水流を水流導入体の外周壁に沿うように特定の水平方向に噴出する複数の水流噴出部を設ける一方、駆動タービンは、複数のタービン羽根を円弧状に立設して全体を略筒状に形成した回転体を中央回転軸に取り付けて構成され、駆動タービンの回転体が、水流導入体の水流噴出部を取り囲むように配置されていることで、上述した課題を解決した。
【００１０】
また、水流導入体の周壁における４箇所に、水流噴出部を設けていることで、同じく上述した課題を解決した。
【００１１】
さらに、水流導入体の周壁に設けている各水流噴出部は、外側に位置している回転体のタービン羽根に向けて水流を噴出し、タービン羽根に対する水流の衝突力により駆動タービンの回転体を回転させていることで、同じく上述した課題を解決した。
【００１２】
また、水流導入体の周壁に設けている各水流噴出部は、外側に位置している回転体のタービン羽根に向けて水流を噴出し、円筒部本体の内部において、水流導入体の周囲に旋回流を生じさせ、この旋回流により駆動タービンの回転体を回転させていることで、同じく上述した課題を解決した。
【００１３】
加えて、水流導入体の周壁に設けている各水流噴出部は、外側に位置している回転体のタービン羽根に向けて水流を噴出し、タービン羽根に対する水の衝突力と、円筒部本体の内部において水流導入体の周囲に生じている旋回流により駆動タービンの回転体を回転させていることで、同じく上述した課題を解決した。
【００１４】
また、円筒部本体の下部に、排水孔を設けていることで、同じく上述した課題を解決した。
【００１５】
この他、駆動タービンの中央回転軸は、変速ギアを介して、発電機の駆動ギアに連動していることで、同じく上述した課題を解決した。
【発明の効果】
【００１６】
本発明は、円筒部本体の内部に、発電機、水流導入体のそれぞれを配置し、この水流導入体を貫通するように配置された中央回転軸を有する縦型の駆動タービンを回転可能に取り付け、水流導入体から噴出する水流により駆動タービンを回転させ、中央回転軸に連動した発電機から電力を得る水力発電装置であって、水流導入体の周壁に、水流を水流導入体の外周壁に沿うように特定の水平方向に噴出する複数の水流噴出部を設ける一方、駆動タービンは、複数のタービン羽根を円弧状に立設して全体を略筒状に形成した回転体を中央回転軸に取り付けて構成され、駆動タービンの回転体が、水流導入体の水流噴出部を取り囲むように配置されていることから、水流噴出部から勢い良く噴出する水流により、駆動タービンの回転体を高速回転させて、発電機から充分な電力を得ることができる。
【００１７】
具体的には、水流導入体の周壁に、水流を水流導入体の外周壁に沿うように特定の水平方向に噴出する複数の水流噴出部を設けていることから、円筒部本体の内部において、この水流噴出部により、特定の水平方向（例えば、左側）に水流を噴出させることができる。
【００１８】
そして、駆動タービンは、複数のタービン羽根を円弧状に立設して全体を略筒状に形成した回転体を中央回転軸に取り付けて構成され、駆動タービンの回転体が、水流導入体の水流噴出部を取り囲むように配置されていることから、水流噴出部から勢い良く水流が噴出すると、回転体を形成する複数のタービン羽根の内側の全体に水流が満遍なく当って、駆動タービンの回転体を効率良く回転させることができる。
【００１９】
このとき、水流導入体の水流噴出部から勢い良く噴出する水流の方向（特定の水平方向…左側）と、回転体の回転方向（左回転）が同一となる為、噴出する水流により、駆動タービンの回転体を高速に回転させることができる。
【００２０】
また、水流導入体の周壁における４箇所に、水流噴出部を設けていることから、４箇所の水流噴出部から勢い良く水流を噴出して、駆動タービンの回転体を、高速に回転させることができる。
【００２１】
さらに、４箇所の水流噴出部により、円筒部本体内において、例えば、左回りの高速の旋回流を効率良く生じさせることができる。この高速の旋回流は、回転体の内側・外側のいずれも含む、水流導入体の外側における円筒部本体内の全体に生じるため、駆動タービンにおける回転体の高速の回転を維持することができる。
【００２２】
また、４箇所の水流噴出部により、水流を所定の圧力で勢い良く噴出し、水流導入体の外側における円筒部本体内の全体を高圧状態にしたときには、より大きな力が複数のタービン羽根に作用して、駆動タービンの回転体を高速に回転させることができる。
【００２３】
その為、駆動タービンの中央回転軸が充分な回転力を得ることとなり、発電機を安定した状態で作動させることができる。
【００２４】
この他、水流導入体の周壁に設けている各水流噴出部は、外側に位置している回転体のタービン羽根に向けて水流を噴出し、タービン羽根に対する水流の衝突力により駆動タービンの回転体を回転させていることから、各水流噴出部から勢い良く水流を噴出させたときに、水流の方向（特定の水平方向…左側）と、回転体の回転方向（左回転）が同一となることとなり、噴出する水流により、駆動タービンの回転体を高速に回転させることができる。
【００２５】
また、水流導入体の周壁に設けている各水流噴出部は、外側に位置している回転体のタービン羽根に向けて水流を噴出し、円筒部本体の内部において、水流導入体の周囲に旋回流を生じさせ、この旋回流により駆動タービンの回転体を回転させていることから、各水流噴出部から噴出する水流が、例えば、所定の勢いを備えていない場合であっても、駆動タービンの回転体を確実に回転させることができる。
【００２６】
さらに、水流導入体の周壁に設けている各水流噴出部は、外側に位置している回転体のタービン羽根に向けて水流を噴出し、タービン羽根に対する水流の衝突力と、円筒部本体の内部において水流導入体の周囲に生じている旋回流により駆動タービンの回転体を回転させていることから、駆動タービンの回転体を安定した状態で高速に回転させることができる。
【００２７】
また、円筒部本体の下部に、排水孔を設けていることから、駆動タービンを回転させた水流を、そのまま旋回させながら円筒部本体から排出できる。
【００２８】
加えて、駆動タービンの中央回転軸は、変速ギアを介して、発電機の駆動ギアに連動していることから、安定した状態で回転する駆動タービンにより、効率良く発電機を作動させて、充分な電力を得ることができる。
【００２９】
このように、本発明によれば、所定の排水路や屋根の樋、その他の配管水路を流れる水流、或いは、山間部での落差のある渓流や清流等を利用して、リサイクル可能な発電エネルギーシステムを容易に構築することができる。
【図面の簡単な説明】
【００３０】
【図１】水力発電装置の構成を示す斜視図である。
【図２】水力発電装置の構成を示す断面図である。
【図３】水力発電装置の構成を示す分解斜視図である。
【図４】水流導入体の構成を示すもので、（ａ）は水流導入体を側方から見た状態の斜視図、（ｂ）は水流導入体を水の導入孔側から見た状態の斜視図である。
【図５】円筒部本体の上側収容部において、水流導入体における水の導入孔が、円筒部本体における水の取り入れ口に接続している状態を示す断面図である。
【図６】駆動タービンの構成を示す斜視図である。
【図７】図２のＸ−Ｘ線断面図である。
【図８】回転体を形成する複数のタービン羽根の内側において、水流噴出部から水流を勢い良く噴出させ、この噴出した水流により駆動タービンの回転体を高速回転させる状態を示す斜視図である。
【発明を実施するための形態】
【００３１】
以下に、図面を参照して本発明を実施するための形態を詳細に説明する。
【００３２】
本発明に係る水力発電装置は、図１・図２・図３に示すように、円筒部本体１と、この円筒部本体１の内部に収容される発電機２と水流導入体３、また、水流導入体３を貫通するように配置される中央回転軸４を有する縦型の駆動タービン５から概ね構成されている。
【００３３】
円筒部本体１は、図２・図３に示すように、全体が円筒状に形成され、その下側に、全体が窄まるように湾曲した底板６が固定されている。この底板６の中央には、円形の排水孔７を設けている。また、排水孔７には、所定の長さの筒部８が下向きに連設されている。
【００３４】
さらに、円筒部本体１は、図１・図２に示すように、側面に発電機２の収容部９を設けている。この収容部９は、図３に示すように、円筒部本体１の側面における略中間位置から上側の開口部１０にかけて、円筒部本体１の内側から外側に向けて略円弧状に膨出させたもので、内部に発電機２を収容する空間を備えている。また、円筒部本体１は、この収容部９の存在により、上側の開口部１０を上方から見ると、大きな円弧と小さな円弧を連設した形状となっている。
【００３５】
これに対応して、円筒部本体１の上側の開口部１０を閉鎖する蓋部１１も、大きな円弧と小さな円弧を連設した板状に形成されている。この蓋部１１は、複数のネジ１２を介して、円筒部本体１の上側の開口部１０に形成されているフランジ１３に固定されている。
【００３６】
また、図３に示すように、円筒部本体１の側面における上方の位置に、水の取り入れ口１４を設けている。この水の取り入れ口１４は、円形に形成されている。また、水の取り入れ口１４には、所定の長さの接続筒部１５が側方に向けて連設されている。接続筒部１５は、不図示の配管や排水管等が接続される部分である。
【００３７】
この他、円筒部本体１の内部における略中央部分には、図２に示すように、仕切板１６が水平状に固定されている。仕切板１６は、中央部分に挿入開口部１７を設けている。この挿入開口部１７には、接続筒部１８が上向きに連設されている。
【００３８】
そして、円筒部本体１の内部は、仕切板１６により上下に仕切られることとなり、円筒部本体１の内部において、上側収容部Ａと下側収容部Ｂを形成している。
【００３９】
さらに、円筒部本体１は、図３に示すように、下部収容部Ｂの底板６における排水孔７の近傍に、支持架台１９を備えている。この支持架台１９は、長方形の板状に形成され、円筒部本体１における湾曲した底板６に固定されている。また、支持架台１９は、その中央に回転軸受２０を設けている。
【００４０】
この円筒部本体１の内部には、図２に示すように、仕切板１６を介して、水流導入体３が配置されている。
【００４１】
水流導入体３は、図４（ａ）に示すように、縦型の筒状部分２１の上部に横向きの筒状部分２２を連設して、全体が逆Ｌ字型に形成されている。縦型の筒状部分２１の下部には、底板２３が固定されており、筒状部分２１の下部が閉鎖されている。また、横向きの筒状部分２２の端部には、水の導入孔２４を設けている。
【００４２】
水流導入体３の内部には、図４（ａ）（ｂ）に示すように、挿入管２５が配置されている。この挿入管２５は、縦型の駆動タービン５が備えている中央回転軸４を挿入するものである。挿入管２５は、所定の長さに形成され、その下端部が水流導入体３の底板２３に固定されている。
【００４３】
また、挿入管２５の上端部は、縦型の筒状部分２１の最上部（横向きの筒状部分２２の基端部分）に固定されている。このように、水流導入体３に固定されている挿入管２５の上下両端部に、円形の開口部が存在することは、言うまでもない。さらに、挿入管２５の上端部が固定されている縦型の筒状部分２１の最上部（横向きの筒状部分２２の基端部分）には、回転軸受２６が固定されている。
【００４４】
この水流導入体３を形成する縦型の筒状部分２１の下部には、複数の水流噴出部２７を設けている。この水流噴出部２７は、水流を水流導入体３の外周壁に沿うように特定の水平方向に噴出するものである。水流噴出部２７は、少なくとも２個必要となるが、図４（ａ）（ｂ）に示すように、等間隔に４個の水流噴出部２７を設けると、好ましいものとなる。
【００４５】
尚、水流噴出部２７の数は、３個、また、５個以上等のいずれであっても良い。
【００４６】
この水流噴出部２７は、筒状部分２１に設けている縦長の矩形孔２８と、筒状部分２１の外周壁に固定されている水流噴出カバー２９により形成されている。
【００４７】
この水流噴出カバー２９は、全体が箱状に形成され、筒状部分２１の外周壁に固定されたとき、一方側は閉鎖された状態となる。このとき、筒状部分２１に設けている縦長の矩形孔２８の近傍を、水流噴出カバー２９の閉鎖している部分により覆った状態となっている。また、水流噴出カバー２９の他方側は、矩形状に開放されて水流噴出孔３０を形成している。
【００４８】
これら４個の水流噴出部２７は、図４（ａ）（ｂ）に示すように、水流を水流導入体３における筒状部分２１の外周壁に沿うように特定の水平方向（左側）に噴出するものであり、全ての水流噴出部２７の水流噴出孔３０が左側を向くように位置している。
【００４９】
尚、水流噴出部２７は、水流噴出孔３０を有する水流噴出カバー２９により形成されていることに限定されることはない。例えば、水流噴出部２７として、所定のノズルを採用する等、水流を水流導入体３における筒状部分２１の外周壁に沿うように特定の水平方向に噴出できるものを全て包含するものである。
【００５０】
このように構成された水流導入体３は、図２に示すように、仕切板１６を介して、円筒部本体１の内部に配置されている。
【００５１】
具体的には、仕切板１６の挿入開口部１７に水流導入体３の全体を挿し入れ、水流導入体３における筒状部分２１の外周壁を、仕切板１６の接続筒部１８に、溶接等の手段を用いて固定している。このとき、水流導入体３における横向きの筒状部分２２は、円筒部本体１の上側収容部Ａに収容された状態となる。また、水流導入体３における筒状部分２１に設けている４個の水流噴出部２７は、円筒部本体１の下側収容部Ｂに収容された状態となる。
【００５２】
また、図５に示すように、円筒部本体１の上側収容部Ａにおいては、水流導入体３の筒状部分２２における水の導入孔２４が、円筒部本体１における水の取り入れ口１４に接続するように、溶接等の手段を用いて固定されている。
【００５３】
この他、円筒部本体１の内部には、図２に示すように、縦型の駆動タービン５が配置されている。この駆動タービン５は、円筒部本体１の内部において、水流導入体３の水流噴出部２７から噴出する水流を受けて、水平状に高速回転するものである。
【００５４】
縦型の駆動タービン５は、図６に示すように、中央回転軸４と、この中央回転軸４の下方に固定されている回転体３１により構成されている。
【００５５】
駆動タービン５の回転体３１は、図６に示すように、所定の間隔を開けて上下に配置した一対の板状リング部材３２，３３の間に、複数のタービン羽根３４を固定して形成している。
【００５６】
個々のタービン羽根３４は、縦長の薄板状に形成されている。また、複数のタービン羽根３４は、一対の板状リング部材３２，３３の間において、いずれも斜めになった状態で固定されており、全体が所定の高さを備えている略筒状に形成されている。
【００５７】
また、駆動タービン５は、板状リング部材３３の若干上側に、中間リング部材３５を備えている。この中間リング部材３５は、複数のタービン羽根３４を上下に仕切るように配置されて、回転体３１全体の強度を維持している。
【００５８】
さらに、中間リング部材３５と板状リング部材３３のそれぞれには、内側に固定架台３６，３７を設けている。この固定架台３６，３７は、いずれも長方形の板状に形成され、その両端部が中間リング部材３５・板状リング部材３３の直径方向に固定されている。また、上下に位置している固定架台３６，３７の中央部
には、それぞれ円形の開口部が設けられており、固定架台３６の開口部と、固定架台３７の開口部同士が、パイプ状の嵌挿部３８を介して接続されている。
【００５９】
この回転体３１の中心に位置している嵌挿部３８に、中央回転軸４を挿し入れた状態で、嵌挿部３８と中央回転軸４を溶接等の手段を用いて強固に固定している。
【００６０】
その為、駆動タービン５を構成する回転体３１が所定の方向に回転したとき、中央回転軸４も同一方向に回転することとなる。
【００６１】
このように中央回転軸４と回転体３１を固定して構成された駆動タービン５は、図２に示すように、水流導入体３を貫通するように中央回転軸４を配置し、円筒部本体１の内部に、回転可能に収容されている。
【００６２】
具体的には、図３に示すように、水流導入体３を構成する挿入管２５の下側の
開口部から中央回転軸４を挿し入れる。そして、図２に示すように、中央回転軸４の先端部を、水流導入体３の上部から突出させる。この突出している中央回転軸４の上部が、水流導入体３の回転軸受２６に支持されている。
【００６３】
また、中央回転軸４の下部は、円筒部本体１の底板６側において支持されている。具体的には、中央回転軸４の下部は、支持架台１９の回転軸受２０に支持されている。
【００６４】
このように、駆動タービン５を構成する中央回転軸４は、その上部が水流導入体３の回転軸受２６に支持され、また、その下部が支持架台１９の回転軸受２０に支持されて、駆動タービン５が円筒部本体１内に回転可能に取り付けられている。
【００６５】
このとき、図２・図８に示すように、駆動タービン５を構成する回転体３１は、円筒部本体１の下側収容部Ｂにおいて、水流導入体３の水流噴出部２７を取り囲むように配置されている。
【００６６】
具体的には、駆動タービン５の回転体３１は、複数のタービン羽根３４により、全体が所定の高さを備えている略筒状に形成されており、図２に示すように、回転体３１における板状リング部材３２と中間リング部材３５の間に水流導入体３の水流噴出部２７が位置するように、駆動タービン５が円筒部本体１内に取り付けられている。
【００６７】
また、中央回転軸４の上部は、水流導入体３の回転軸受２６に支持されているが、回転軸受２６から突出している中央回転軸４の上部には、所定の変速ギア３９が取り付けられている。また、円筒部本体１内における上側収容部Ａの収容部９に位置している発電機２には、駆動ギア４０が取り付けられている。この中央回転軸４の変速ギア３９と発電機２の駆動ギア４０は、噛合した状態で連動するものである。
【００６８】
尚、この発電機２は、所定の発電コイルを永久磁石の中で機械的に回転させ、そのときに生じる電磁誘導で電気を発生させる、周知の構造のものである。
【００６９】
以下に、本発明に係る水力発電装置についての、使用・動作の一例について説明する。
【００７０】
まず、図１に示す水力発電装置において、円筒部本体１の接続筒部１５に配管や排水管等を接続し、これらの配管や排水管等を介して、円筒部本体１に水を送り込む。
【００７１】
すると、図５に示すように、円筒部本体１の上側収容部Ａにおいて、水流導入体３の筒状部分２２における水の導入孔２４が、円筒部本体１における水の取り入れ口１４に接続している為、そのまま水流導入体３の中に水が送り込まれ。
【００７２】
水流導入体３においては、図４（ａ）（ｂ）に示すように、水が筒状部分２１の下方に向けて送り込まれる。この水が送り込まれる筒状部分２１の下部は、円筒部本体１の下側収容部Ｂに位置している。そして、筒状部分２１の下部は、底板２３により閉鎖されていることから、筒状部分２１に設けられている４箇所の矩形孔２８を介して、筒状部分２１の外側に水が押し出される。
【００７３】
この筒状部分２１の外側に押し出された水は、水流噴出カバー２９に当って流れの方向が強制的に変えられ、水流噴出孔３０から噴出する。具体的には、図４（ａ）（ｂ）に示すように、水流を水流導入体３における筒状部分２１の外周壁に沿うように特定の水平方向（左側）に噴出するのである。
【００７４】
そして、図２・図７に示すように、駆動タービン５を構成する回転体３１が、円筒部本体１の下側収容部Ｂにおいて、水流導入体３の水流噴出部２７を取り囲むように配置されていることから、図８に示すように、回転体３１を形成する複数のタービン羽根３４がこの水流を内側において受け止めて、円筒部本体１内において駆動タービン５の回転体３１が特定の水平方向（左側）に高速に回転する。
【００７５】
このとき、水流噴出孔３０から水流が所定の圧力で勢い良く噴出し、円筒部本体１の下側収容部Ｂを高圧状態にしたときには、駆動タービン５の回転体３１がより高速に回転することとなる。
【００７６】
また、水流による大きな力が複数のタービン羽根に作用して、駆動タービンの中央回転軸が充分な回転力を得ることとなる。
【００７７】
この他、円筒部本体１の下側収容部Ｂにおいては、全体として左回りの旋回流が生じるため、駆動タービン５における回転体３１の高速の回転を助けている。
【００７８】
このように、駆動タービン５の回転体３１が高速に回転すると、回転体３１に固定している中央回転軸４も同様に高速に回転する。
【００７９】
このとき、中央回転軸４の上部に取り付けられている変速ギア３９が回転し、駆動ギア４０を介して発電機２を作動させるのである。
【００８０】
そして、円筒部本体１の下側収容部Ｂにおいて、旋回している水流は、そのまま旋回しながら円筒部本体１の排水孔７から排出される。
【００８１】
尚、本発明は、前記した実施の形態に限定されるものではなく、本発明の目的を達成できる範囲での改良・変形等は、本発明に全て包含されるものである。
【産業上の利用可能性】
【００８２】
本発明は、屋根の樋に溜まった水、或いは、落差のある渓流や清流の水を水流導入体内に導入することで電力が得られるようにする等の他に、例えば、温泉や湧き水等の水流を利用して家庭用の電力が容易に得られるようにする等、幅広く応用することができる。
【符号の説明】
【００８３】
Ｂ…下側収容部
Ａ…上側収容部
１…円筒部本体
２…発電機
５…駆動タービン
３…水流導入体
４…中央回転軸
６…底板
７…排水孔
８…排水孔
９…収容部
１０…開口部
１１…蓋部
１２…ネジ
１３…フランジ
１４…水の取り入れ口
１５…接続筒部
１７…挿入開口部
１８…接続筒部
１６…仕切板
１９…支持架台
２０…回転軸受
２１…筒状部分
２２…筒状部分
２３…底板
２４…水の導入孔
２５…挿入管
２６…回転軸受
２７…水流噴出部
２８…矩形孔
２９…水流噴出カバー
３０…水流噴出孔
３２…板状リング部材
３３…板状リング部材
３１…回転体
３４…タービン羽根
３５…中間リング部材
３６…固定架台
３７…固定架台
３８…嵌挿部
３９…変速ギア
４０…駆動ギア
【図１】
2011064170.tif 000003
【図２】
2011064170.tif 000004
【図３】
2011064170.tif 000005
【図４】
2011064170.tif 000006
【図５】
2011064170.tif 000007
【図６】
2011064170.tif 000008
【図７】
2011064170.tif 000009
【図８】
2011064170.tif 000010